Podtech/llm-jp-corpus-v4-ja_patent huggingface dataset:
(57)【要約】【課題】毎年大量に発生する紙幣細断屑を新しい用途に積極的に利用することにより、該紙幣細断屑の処理に要する費用を削減すると共に、該紙幣細断屑の焼却処分に起因する環境汚染等の問題を解消する。【解決手段】紙幣を復元不能な大きさに細断してなる紙幣細断屑を用いて紙幣再生パルプを形成し、該紙幣再生パルプに古紙再生パルプとバージンパルプとを加えて製紙することを特徴とする、紙幣細断屑を製紙原料として用いた製紙方法。紙幣細断屑は、汚損等により流通に適さなくなった紙幣を、例えばシュレッダーにより、細断してなるものである。【選択図】なし【特許請求の範囲】
【請求項１】
紙幣を復元不能な大きさに細断してなる紙幣細断屑を用いて紙幣再生パルプを形成し、該紙幣再生パルプに古紙再生パルプとバージンパルプとを加えて製紙することを特徴とする、紙幣細断屑を製紙原料として用いた製紙方法。
【発明の詳細な説明】
【技術分野】
【０００１】
本発明は、紙幣細断屑を製紙原料として用いた製紙方法に関するものであり、更に詳しくは、紙幣を復元不能な大きさに細断してなる紙幣細断屑を製紙原料として用いた製紙方法に係るものである。
【背景技術】
【０００２】
汚損等により流通に適さなくなった紙幣は、日本銀行により復元不能な大きさに細断される。このような紙幣細断屑は、大部分が一般廃棄物として焼却施設において焼却処分されている。紙幣細断屑を焼却処分する場合には、環境汚染等の問題を生ずる。
【０００３】
紙幣の平均的な使用期間（平均寿命）は、一万円札においては約４〜５年程度であり、一万円札よりも使用頻度が高く痛み易い五千円札ないし千円札においては約１〜２年程度である。したがって、紙幣細断屑は、毎年大量に発生しており、その処理に要する費用は膨大である。
【０００４】
一方、製紙原料として古紙を用いた製紙方法は、例えば特開２００４−２３２１４５号公報に示すように、従来より広く知られている。
【０００５】
しかるに、紙幣細断屑を製紙原料として用いた製紙方法は、本発明者が知る限りにおいて、従来存在しない。  
【先行技術文献】
【特許文献】
【０００６】
【特許文献１】特開２００４−２３２１４５号公報
【発明の概要】
【発明が解決しようとする課題】
【０００７】
上述の如き状況に鑑み、本発明は、毎年大量に発生する紙幣細断屑を新しい用途に積極的に利用することにより、該紙幣細断屑の処理に要する費用を削減すると共に、該紙幣細断屑の焼却処分に起因する環境汚染等の問題を解消しようとしてなされたものである。
【課題を解決するための手段】
【０００８】
上記課題を解決するために、本発明は、毎年大量に発生する紙幣細断屑を製紙原料として用いることに想到したものである。すなわち、本発明は、下記の製紙方法を提供する。
【０００９】
紙幣を復元不能な大きさに細断してなる紙幣細断屑を用いて紙幣再生パルプを形成し、該紙幣再生パルプに古紙再生パルプとバージンパルプとを加えて製紙することを特徴とする、紙幣細断屑を製紙原料として用いた製紙方法。
【発明の効果】
【００１０】
本発明によれば、大量に発生する紙幣細断屑を製紙原料として用いるため、該紙幣細断屑の処理に要する費用が削減される共に、該紙幣細断屑の焼却処分に起因する環境汚染等の問題が解消される。また、紙幣細断屑は、毎年大量に発生するものであり、製紙原料として安定的に入手することができる。
【発明を実施するための形態】
【００１１】
本発明においては、紙幣細断屑を製紙原料として用いる。紙幣細断屑は、紙幣を復元不能な大きさに細断してなるものである。すなわち、汚損等により流通に適さなくなった紙幣を、例えばシュレッダーにより、例えば約１．５〜２ｍｍ×約１０ｍｍの大きさに細断する。紙幣は、一万円札、五千円札、二千円札、千円札等とする。
【００１２】
紙幣細断屑を用いて紙幣再生パルプを形成する際には、例えば、紙幣細断屑２重量部に水１重量部を加えてなる原料をニーダーにより混練し、インキ類等の不要物を除去して紙幣再生パルプを形成する。
【００１３】
ニーダーは、例えば、ケーシング内に電気モータ等の駆動手段により回転する回転軸を横架し、該回転軸にはスクリューとニーディング刃（離解用の羽根）を取り付けてなるものである。
【００１４】
ニーダーにおける材料入口よりケーシング内に供給された紙幣細断屑と水とよりなる原料は、スクリューにより押し込まれ、ニーディング刃により離解される。
【００１５】
すなわち、紙幣細断屑と水とよりなる原料は、該ニーダーにより混練され、インキ類等の不要物が分離され、後の工程における例えばフローテータ等によりパルプから除去される。
【００１６】
該紙幣再生パルプに、古新聞紙等の古紙を原料とする古紙再生パルプと、木材パルプ等のバージンパルプ（生パルプ）とを加えて製紙する。
【００１７】
紙幣再生パルプは、パルプ全体の３０重量％程度まで配合することができる。
【００１８】
紙幣再生パルプに古紙再生パルプとバージンパルプとを加えて混合し、例えば、調成工程、抄紙工程、ワイヤパート、プレスパート、ドライヤーパート、塗工工程、仕上・加工工程、カレンダリング等の工程を経て、一例として封筒用紙を形成する。
【実施例１】
【００１９】
紙幣を復元不能な大きさに細断してなる紙幣細断屑２重量部に水１重量部を加えてなる原料をニーダーにより混練し、インキ類等の不要物を除去して紙幣再生パルプを形成した。該紙幣再生パルプ２０重量％に古紙再生パルプ６０重量％とバージンパルプ２０重量％とを加えて製紙して封筒用紙を形成した。この封筒用紙の資質試験結果を表１に示す。
【００２０】
【表１】
2012062581.tif 000002
(57)【要約】【課題】  自転車と歩行者との事故防止のために、自転車の接近を歩行者に対して自動的に通報する自転車を提供する【解決手段】  自転車の前輪の回転軸に内蔵され、前輪の回転によって直流を生成する整流子発電機であるハブダイナモ１、ハブダイナモの発電電力の給電を受けることが可能な光の明るさを感知する照度センサー２、照度センサー経由でハブダイナモの発電電力の給電を受けることが可能な発光装置３、照度センサー経由でハブダイナモの発電電力の給電を受けることが可能な音再生装置４によって構成され、ハブダイナモ１から給電された発電電力を、照度が規定値以上の場合は音再生装置に給電し、照度が規定値未満の場合は発光装置に給電する給電スイッチを有する照度センサー２を有する自転車【選択図】図１
2012062037.tif 000002
【特許請求の範囲】
【請求項１】
自転車の前輪の回転軸に内蔵され、前輪の回転によって直流を生成する整流子発電機であるハブダイナモ、ハブダイナモの発電電力の給電を受けることが可能な光の明るさを感知する照度センサー、照度センサー経由でハブダイナモの発電電力の給電を受けることが可能な発光装置、照度センサー経由でハブダイナモの発電電力の給電を受けることが可能な音再生装置によって構成された自転車
【請求項２】
ハブダイナモから給電された発電電力を、照度が規定値以上の場合は音再生装置に給電し、照度が規定値未満の場合は発光装置に給電する給電スイッチを有する照度センサーを有する自転車。照度の規定値は任意の数値を設定可能。
【発明の詳細な説明】
【技術分野】
【０００１】  この発明は、自転車に関して、自転車の接近を周囲の歩行者に対して音や光でお知らせするシステム及び構造に関する。
【背景技術】
【０００２】  自転車の車道走行ルールを厳格化するため道路交通法が改正された２００７年以降、自転車で歩行者をはねて死傷させた場合に、民事訴訟で数百万〜５０００万円超の高額賠償を命じる判決が増えている。【０００３】  自転車の走行音は静音なため、歩行者が自転車の接近に気付きづらく、衝突事故が起きやすいという問題点がある。
これらに対して、夜間の自転車走行時は歩行者に対してライト点灯で接近をお知らせする従来技術や、下記のような先行技術が存在する。
【先行技術文献】
【特許文献】
【０００４】  実開平６−６１６７７
【発明の概要】
【発明が解決しようとする課題】
【０００５】  しかしながら、以上の従来技術においては、昼間はライト点灯を行っても視認が困難であり、歩行者に対する自転車接近のお知らせができないという問題がある。【０００６】  以上の先行技術においては、電子音を常時再生するため、夜間などは騒音被害を生む恐れがあるという問題がある。
【課題を解決するための手段】
【０００７】  以上の課題を解決するために、第一発明は、自転車の前輪の回転軸に内蔵され、前輪の回転によって直流を生成する整流子発電機であるハブダイナモ、ハブダイナモの発電電力の給電を受けることが可能な光の明るさを感知する照度センサー、照度センサー経由でハブダイナモの発電電力の給電を受けることが可能な発光装置、照度センサー経由でハブダイナモの発電電力の給電を受けることが可能な音再生装置によって構成された自転車。
第二発明はハブダイナモから給電された発電電力を、照度が規定値以上の場合は音再生装置に給電し、照度が規定値未満の場合は発光装置に給電する給電スイッチを有する照度センサーを有する自転車。照度の規定値は任意の数値を設定可能。
【発明の効果】
【００８】  第一発明、第二発明によれば、照度が高い昼間においてはハブダイナモの発電電力が音再生装置に給電され、歩行者に対して音で自転車の接近をお知らせすることができる。また、照度が低い夜間においてはハブダイナモの発電電力が発光装置に給電され、歩行者に対して光で自転車の接近をお知らせすることができ、騒音被害を生まない。【００９】  第二発明によれば、音再生装置と発光装置の再生切り替えが、自転車が位置する場所の照度に応じて自動的に切り替えされるため、自転車利用者は操作の手間をかけることなく、常に自転車の接近を周囲の歩行者に対してお知らせすることができる。
【図面の簡単な説明】
【０１０】
【図１】この発明の一実施形態を示すもので、自転車の前輪部分を表す斜視図である。
【発明を実施するための形態】
【０１１】  この発明の一実施形態を、図１に示す。
自転車の前輪の回転軸に、前輪の回転によって直流を生成する整流子発電機ハブダイナモ１が内蔵される。ハブダイナモ１は照度センサー２と給電コードを介して接続されており、前輪の回転によって生成された発電電力は、照度センサー２に対して給電コードを介して給電される。
【０１２】照度センサー２はハブダイナモ１から給電された発電電力を、２つの対象のいずれかに対して給電切り替えする給電スイッチを有する。照度センサー２は、発光装置３と音再生装置４のそれぞれと給電コードを介して接続されており、照度が規定値以上の場合は給電スイッチの働きで音再生装置４に給電し、照度が規定値未満の場合は給電スイッチの働きで発光装置３に給電する。
【０１３】照度が規定値以上の場合は、音再生装置４は照度センサー２経由でハブダイナモ１の発電電力を給電され、任意の音（擬似走行音など）を再生することで周囲の歩行者に自転車の接近を通報する。
【０１４】照度が規定値未満の場合は、発光装置３は照度センサー２経由でハブダイナモ１の発電電力を給電され、光を発光することで周囲の歩行者に自転車の接近を通報する。この場合、音再生装置は動作しないため、夜間に騒音被害を生む危険性を防ぐことができる。
【符号の説明】
【０１５】１  ハブダイナモ
２  照度センサー
３  発光装置
４  音再生装置
【図１】
2012062037.tif 000003
(57)【要約】【課題】    網戸を窓枠からはずしもっと手軽に取り付け収納し、又、網戸を設置することで癒し空間を実現する【解決手段】    枠体の一方向に吊るし部を設け、それに紐を通し吊り下げる機能をもたせ、枠体に取り付けたる透過性生地体に装飾を形成する【選択図】図１
2012062741.tif 000002
【特許請求の範囲】
【請求項１】
透過性のある生地体２をかこむように枠体１があり、その枠体の一辺に任意の数の穴がある吊るし部３を設け、紐などを穴に通し、窓の上部から吊るし、使用する吊るし網戸。
【請求項２】
枠体１に透過性のある生地体２を張り、その生地体に直接デザインを形成したり、又は任意の装飾をほどこしたり、枠体から吊り下げたり、挟んだりできる吊るし網戸。
【発明の詳細な説明】
【技術分野】
【０００１】    本発明は住宅における網戸の改良に関する。
【背景技術】
【０００２】    従来の網戸は、片側に固定されて動かないものが多かった。
【先行技術文献】
【０００３】
【特許文献１】  特開２００６−１２５１１９号広報
【特許文献２】  実用新案第３０２２８６３号広報
【発明の概要】
【発明が解決しようとする課題】
【０００４】    しかしながら従来の網戸は、窓に固定されたものが多く、無機質なものが多かった。
【課題を解決するための手段】
【０００５】    本発明は網戸を敷居からはずして、上からすだれのように吊るすことで、工事費もかからず、使用者本人が吊るす作業をすることにより、網戸機能の一つである道路側から室内をのぞけない、蚊などが入りこめないことにつながる。
枠体に透過性のある生地体を使用しているので、虫の侵入を防いだり、生地体に直接デザインを形成してもよいし、任意の造花などで生地体に好みの装飾を加えて、癒し空間を創生したりもできる。枠幅も細い幅や半間物も可能である。
このように、吊るすだけの操作で網戸機能を施すことが可能であり、使用しない間は、取り外して片付け収納も手軽にでき、癒し空間デザインであれば、季節によって取り替えて部屋の空間装飾を形成する。
【発明の効果】
【０００６】    本発明は、吊るし部を設けたことににより、はめ込み式の網戸に比べ、使用者が操作するので工事代金が不要であり、使用済みのときは収納も手軽にできる。
又、透過体生地に直接デザインしたり、造花を飾りつけたり、任意のデザインで癒し空間を創生したりする実用的な効果もある。
【図面の簡単な説明】
【０００７】
【図１】本発明の基本形である
【図２】本発明の基本形に造花を装飾した事例である
【図３】本発明の基本形に直接テザインした事例である
【図４】本発明の基本形に季節物の一事例である
【発明を実施するための形態】
【０００８】    本発明は、吊るし部のある枠体を設け、該枠体に透過性のある生地体を取り付けたものを基本形とする。
【実施例】
【０００９】  図２は、蔓性の造形物を、枠体部に止めぶら下げ、蔓性の造形物には園芸用ワイヤーで形態を整え、花を適所に散らした創生である。【００１０】  図３は、手芸用ワイヤーに任意の葉や花をつなぎ、それを透過性のある生地体に取り付けたものである。【００１１】  図４は、粘着シートを利用して、季節ものの一例を示したものである。【００１２】  本発明の透過性のある生地体に装飾的機能を付与することもできる。
【符号の説明】
【００１３】１    枠体
２    透過体
３    吊るし部
４    蔓性葉物
５    造花
６    ワイヤー
７    薄手透過布
【図１】
2012062741.tif 000003
【図２】
2012062741.tif 000004
【図３】
2012062741.tif 000005
【図４】
2012062741.tif 000006
(57)【要約】      （修正有）【課題】地震の揺れを家本体に伝えなくする装置の提供。【解決手段】あらゆる方向の揺れに対処する耐免震キャスター付改良板バネを基礎と土台の間に設置する。【選択図】図１
2012062744.tif 000002
【特許請求の範囲】
【請求項１】
耐免震用キャスター付改良板バネ
【発明の詳細な説明】
【発明の詳細な説明】
数年前  同じテーマで出させていただき  公開特許までいきましたが実用段階で思いのほか施工費がかかり断念致しました。
今回同じ木造耐免震住宅というテーマですが安く安全に強くと現実的になりました。
あらゆる揺れをキャスター付改良板バネで対処します。
特に板バネの両端につけた鉄球とその上のバネをつなぐ鉄の棒で直下型の９０°以外の直下型の突き上げの角度を変え  その力を弱めて９０°の突き上げの力とします
板バネの支柱（中心）にかかる直下型の揺れを  改良板バネで吸収し  ２ｔの荷重に耐えるキャスターであらゆる横ゆれに対処します
【図面の簡単な説明】
【図１】立面図  旧日本家屋の大黒柱の下にある大きな玉石が家全体の基礎となっている鉄筋コンクリートとそこに埋め込まれているキャスターの受け皿金物である円型の鉄の器です。一つの板バネに対して均等に配置された３ケのキャスターが円型の鉄の器の中ですべりキャスターに個定されているコイルバネで家屋はいつも安定状態でいられます。一方直下型の揺れに対しては板バネで安定を計ります  大黒柱にあたる建物はキャスター付板バネで安定しています
【図２】平面図  家の荷重のかかるコーナーに２ケのキャスター付板バネを配置  キャスター詳細図
【図３】平面図  家のバランスのとれた位置に配置したキャスター付板バネ
【図４】配置図  一軒家の中での板バネ（キャスター付）の位置
【図１】
2012062744.tif 000003
【図２】
2012062744.tif 000004
【図３】
2012062744.tif 000005
【図４】
2012062744.tif 000006
(57)【要約】      （修正有）【課題】コーキング工事で使用後、ノズルにシール材が残って硬化することを防止する構造を提供する。【解決手段】密閉すべく、ノズルの中に養生シートを取り付ける。【選択図】図１
2012062739.tif 000002
【特許請求の範囲】
【請求項１】
コーキング材に関するノズルの養生材。
【発明の詳細な説明】
【技術分野】
【０００１】本発明は建設現場等においてコーキング材のノズルに養生材を施し経済性を高めることを目的としたもの。
【背景技術】
【０００２】従来のコーキング工事では、使用後ノズルにシール材が残ってしまいました。
【発明の開示】
【発明が解決しようとする課題】
【０００３】使用後ノズルに残ったシール材が時間が経つと共に硬化してノズルが使えない状態になってしまいました。
【課題を解決する為の手段】
【０００４】ノズルの中に養生シートを付けます。
【発明の効果】
【０００５】シートの中でシール材が硬化するので、ノズルに詰まらず、手を汚すことなく取り除けます。
【発明を実施するための最良の形態】
【０００６】三角錐のビニールジートをつくります。
【図面の簡単な説明】ノズルの形にそった三角錐です。
【図１】正面から見た図です。
【図１】
2012062739.tif 000003
【図２】
2012062739.tif 000004
【手続補正書】
【提出日】平成23年4月14日(2011.4.14)
【手続補正１】
【補正対象書類名】明細書
【補正対象項目名】全文
【補正方法】変更
【補正の内容】
【発明の詳細な説明】
【技術分野】
【０００１】本発明は建設現場等においてコーキング材のノズルに養生材を施し経済性を高めることを目的としたもの
【背景技術】
【０００２】従来のコーキング工事では、使用後ノズルにシール材が残ってしまいました。
【発明の開示】
【発明が解決しようとする課題】
【０００３】使用後ノズルに残ったシール材が時間が経つと共に硬化してノズルが使えない状態になってしまいました。
【課題を解決する為の手段】
【０００４】ノズルの中に養生シートを付けます。
【発明の効果】
【０００５】シートの中でシール材が硬化するので、ノズルに詰まらず、手を汚すことなく取り除けます。
【発明を実施するための最良の形態】
【０００６】三角錐のビニールシートをつくります。
【図面の簡単な説明】
【０００７】ノズルの形にそった三角錐です。
【図１】正面から見た図です。
【図２】装着した所の透視図です。
(57)【要約】【課題】冷蔵庫内に収納している食品が見やすく、取り出しやすく、スペースをとらない収納用具を提供する。【解決手段】支柱とポールでコの字状を形成し、支柱もポールも自由にスライド式で長さ調整ができ、食品の開封口をクリップで留め、フックをポールに架けて見やすく収納し取り出しやすくしたことを特徴とする冷蔵庫収納ラック。【選択図】図３
2012102988.tif 000002
【特許請求の範囲】
【請求項１】
左右２本の支柱と支柱の一端をポールで跨ぎつなぐように結合し、コの字状に形成し、支柱の高さとポールの長さをそれぞれスライド式で調整して、ネジ止めし、支柱下端に支柱安定台を設け、ポールに架け吊るすためのフック式クリップを大中小複数個備えたことを特徴とする冷蔵庫収納ラック。
【発明の詳細な説明】
【技術分野】
【０００１】  本発明は、冷蔵庫内の収納用具に関するものである。
【背景技術】
【０００２】  従来、冷蔵庫内へ食品を収納する際、汁物が入っている袋は開封口を輪ゴムなどで留め、さらに漏れないようビニール袋に入れたり、保存容器に移し替えて収納していた。
様々な目的で収納ラック類の先行技術（特許文献１、２、３参照）があるが、大半は冷蔵庫に取り付ける複雑な構造であり、小さな袋に入った食品の使い残し等の収納用として知られている物はない。
【先行技術文献】
【０００３】
【特許文献１】特許公開２００５−６９６９号公開
【特許文献２】特許公開平６−３４２６５号公開
【特許文献３】特許公開平６−１４７７４７号公開
【発明の概要】
【発明が解決しようとする課題】
【０００４】  従来、冷蔵庫へ食品を収納する際、袋の開封口を閉じ、閉じ口を上にして収納するか、保存容器に移し替えて収納する他なかった。また、冷蔵庫内での保存中、何らかの拍子に袋が倒れ、閉じ口が横や下向きとなり汁が漏れてしまうことが多く、冷蔵庫が汚れやすかった。保存容器に移した後も、汁の臭いや色素が容器へ付着することもあった。冷蔵庫内に複雑に取り付けられたボックス等の容器や棚でなく、庫内を自由に移動でき、且つ不要な時は庫外に出しておくことができ、いつでも自由に洗うこともできるような手軽なラックがなかった。
本発明は、以上の問題点を解決するものである。
【課題を解決するための手段】
【０００５】  左右２本の支柱と支柱の一端をポールで跨ぎつなぐように結合して、コの字状に形成する。支柱は中央部でスライド式に高さを調整し、ネジ止めする。同様にポールも中央部でスライド式に幅の長さを調整しネジ止めする。支柱の最下端には支柱安定台を設ける。ポールに
架け吊るすためのフック付きクリップを大中小複数個備える。
【発明の効果】
【０００６】  （イ）本発明により、冷蔵庫内に収納されている食品が見やすく取り出しやすい。
（ロ）開封口をクリップで留め、ポールにフックを架けることで、開封口を上に保ちながら保存することができ、汁漏れすることなく、衛生的である。
（ハ）汁漏れ用のビニール袋や保存容器を別途用意する必要もなく、手間がかからず経済的である。
（ニ）支柱とポールの長さ調節が自由にできるので、狭い冷蔵庫で最小必要限の空洞の高さと幅を有効活用できる。
（ホ）食品の大きさ、重さにより３種類の大きさのクリップで対応できる。
（ヘ）特に使用しない時、冷蔵庫内に置きっぱなしであっても、細い支柱とポール以外は空間を占拠することはないので、邪魔にならない。
（ト）冷蔵庫内全体の掃除の際や、ラック自体を洗いたい時なども簡単に取り出すことができる。
（チ）冷蔵庫本体とは構造的に完全に独立したラックなので、冷蔵庫のコストに何らの負担もかけることがない。
【図面の簡単な説明】
【０００７】
【図１】本発明の外観斜視図
【図２】本発明断面図
【図３】本発明の実施例を示す斜視図
【発明を実施するための形態】
【０００８】    以下、本発明の実施形態を説明する。
左右２本の支柱（２）と支柱（２）の一端をポール（１）で跨ぎつなぐように結合してコの字状に形成する。支柱（２）は中央部でスライド式に高さを調節しネジ（７）止めする。同様にポール（１）も中央部でスライド式に幅の長さを調整しネジ（７）止めする。支柱（２）の最下端には支柱安定台（３）を設ける。ポール（１）に架け吊るすためのフック（４）付きクリップ（５）を大中小複数個備える。
本発明は以上のような構造であり、これを実際に使用する時は、その時の冷蔵庫の中のスペースに合わせて、支柱（２）の中央部でスライドさせ、高さを調整しネジ（７）止めする。同様にポール（１）も中央部でスライドさせ、高さを調整しネジ（７）止めし、冷蔵庫に設置する。
使い残しの食品（６）を収納する際は、袋の開封口をクリップ（５）で留め、フック（４）をラックのポール（１）にかけて収納する。食品（６）を取り出す際は、ポール（１）からフック（４）をはずし、食品（６）を取り出してクリップ（５）をはずし開封する。
使用していない時は、冷蔵庫内に置きっぱなしでもいい。また、掃除の際はラックごと簡単に取り出すことができる。
【符号の説明】
【０００９】  １ポール、２支柱部、３支柱安定台、４フック、５クリップ、６食品、７ネジ
【図１】
2012102988.tif 000003
【図２】
2012102988.tif 000004
【図３】
2012102988.tif 000005
(57)【要約】【課題】アルミニウム合金製歯車箱による高速鉄道用歯車装置は、小歯車軸と歯車箱の材質の違いにより、低温時に軸受の軸方向遊隙が減少し、焼付きが発生しやすいため、軸受が低温時の遊隙減少によって焼付かない構造を提供すること【解決手段】、アルミニウム合金製歯車箱の小歯車軸受蓋を固定するボルトを締結する部分に鋼製の棒状部を構成することにより、小歯車軸受蓋締結部と小歯車軸との低温時の熱収縮量の差が無くなり、軸受の軸方向遊隙の減少が低減して軸受の焼付きの防止がはかられる。また、高温時においても、熱膨張率の相違によって温度差による小歯車軸受の軸方向遊隙変化が低減され、がたつき等に起因する振動や騒音抑制に効果がある。【選択図】図１
2012102819.tif 000002
【特許請求の範囲】
【請求項１】
鉄道車両用歯車装置において、アルミニウム合金製歯車箱の小歯車軸受蓋をボルト締結している該アルミニウム合金製歯車箱のボルト締結部に、鋼製の棒状部を配設したことを特徴とする歯車装置。
【発明の詳細な説明】
【技術分野】
【０００１】
本発明は、鉄道車両の動力伝達機構として車軸に設けられる歯車装置の小歯車軸受部の構造に関するものである。
【背景技術】
【０００２】
従来の鉄道車両用歯車装置の小歯車軸受部の構造は図２に示される。図２において、小歯車軸１は２個の円錐ころ軸受２により各々軸受蓋３、４を介して歯車箱５に回転自在に取付けられる。軸受蓋３、４はボルト6により歯車箱５に固定される。（たとえば、特許文献１参照）
【先行技術文献】
【特許文献】
【０００３】
【特許文献１】特開２０００−１８３３４２号公報
【発明の概要】
【発明が解決しようとする課題】
【０００４】
しかしながら、高速車両においては軽量化のために歯車箱の材質にアルミニウム合金を使用する場合があり、線膨張率の差異により、低温時に軸受の軸方向の遊隙値が無くなり、軸受が焼付きに至ることがある。本発明は上述した点に鑑みて創案されたもので、その目的とするところは、軸受が低温時の遊隙減少によって焼付かない構造を提供することにある。
【課題を解決するための手段】
【０００５】
この目的を達成するために、請求項１の発明によれば、鉄道車両用歯車装置において、アルミニウム合金製歯車箱の小歯車軸受蓋をボルト締結している該アルミニウム合金製歯車箱のボルト締結部の一部に、熱膨張率の相違によって温度差による小歯車軸受の軸方向遊隙変化の低減を図るために、鋼製の棒状部を配設したことを特徴とする。
【０００６】
すなわち、歯車箱の、軸受蓋を固定するボルトを締結する部分に鋼製の棒状部品を構成したものである。
【発明の効果】
【０００７】
本発明による歯車装置は、歯車箱の、軸受蓋をボルトで締結している部分が小歯車軸と同じ鋼製であるため、低温時においても小歯車軸と歯車箱の軸方向の遊隙値が変化せず、軸受が低温時の遊隙減少によって焼付くことを防止する効果がある。
また、高温時においても、熱膨張率の相違によって温度差による小歯車軸受の軸方向遊隙変化が低減され、がたつき等に起因する振動や騒音抑制に効果がある。
【図面の簡単な説明】
【０００８】
【図１】本発明の一実施例を示す鉄道車両用歯車装置の小歯車軸受部構造の断面である。
【図２】従来の鉄道車両用歯車装置の小歯車軸受部構造の断面である。
【発明を実施するための形態】
【０００９】
図１は本発明の一実施例を示す、歯車装置側面図および断面図である。
本発明の一実施例を示す鉄道車両用歯車装置の小歯車軸受部構造である。
【００１０】
図１において、円錐ころ軸受２の軸方向寸法を決定するアルミニウム合金製の歯車箱５のボルト締結部分に小歯車と同じ材質である鋼製の棒７を構成する。棒７は歯車箱に対して締め代を設けて固定させる。低温時に、アルミニウム合金製の歯車箱５は線膨張係数の差により、軸方向に小歯車軸１よりも大きく収縮するが、軸受蓋３，４は棒７を介してボルト６により締結されており、軸受蓋３，４の軸方向における温度変化の影響による変位は小歯車軸１と等しくなる。
【符号の説明】
【００１１】
１    小歯車軸
２    円錐ころ軸受
３    軸受蓋
４    軸受蓋
５    歯車箱
６    ボルト
７    棒
【図１】
2012102819.tif 000003
【図２】
2012102819.tif 000004
(57)【要約】【課題】廃棄された油を油脂と精油とに分けて処理し、廃棄された油脂や精油を資源として有効利用することで廃棄された油の処理に要する費用を低減するとともに、二酸化炭素の排出量を低減させること。【解決手段】本発明では、油脂に生石灰を添加して金属石鹸化した固形物を成形して固体燃料を製造することにした。  また、前記固形物に精油を含浸させて固体燃料を製造することにした。  これにより、本発明では、廃棄された油を資源（固体燃料の原料）として有効に利用することで廃棄された油の処理に要する費用を低減することができ、しかも、廃棄された油の処理によって発生する二酸化炭素の排出量を低減させることができる。特に、固形物に精油を含浸させることにした場合には、油脂と精油の両方とも有効に利用することができ、固体燃料のカロリーを増大させることができる。【選択図】なし【特許請求の範囲】
【請求項１】
油脂に生石灰を添加して金属石鹸化した固形物を成形したことを特徴とする固体燃料。
【請求項２】
前記固形物に精油を含浸させたことを特徴とする請求項１に記載の固体燃料。
【請求項３】
油脂に生石灰を添加して金属石鹸化した固形物を成形して固体燃料を製造することを特徴とする固体燃料の製造方法。
【請求項４】
前記固形物に精油を含浸させたことを特徴とする請求項１に記載の固体燃料の製造方法。
【発明の詳細な説明】
【技術分野】
【０００１】
本発明は、固体燃料及びその製造方法に関するものである。
【背景技術】
【０００２】
従来より、油は、脂肪酸を含有する油脂と脂肪酸を含有しない精油とに分類されるものであるにもかかわらず、廃棄物を油泥として処理するようにしている。
【０００３】
たとえば、工場や店舗や家庭などにおいてビルピット内で浮上スカム（ビルピットスカム）として大量の油泥（グリース）が排出されているが、この大量の油泥は、加熱による乾燥処理することで水分量を低減し、その後、乾燥された油泥を焼却炉で焼却処理するようにしている（たとえば、特許文献１参照。）。
【先行技術文献】
【特許文献】
【０００４】
【特許文献１】特開２００９−２８６７２号公報
【発明の概要】
【発明が解決しようとする課題】
【０００５】
ところが、上記従来の油泥の処理は、脂肪酸を含有する油脂であっても、脂肪酸を含有しない精油であっても、また、これらの混合物であっても、同一の乾燥処理や焼却処理を行っており、この乾燥処理や焼却処理おいて、燃焼装置が使用されており、大量の燃料を使用しなければならず、処理に多大な費用を要するといった問題があった。
【０００６】
しかも、上記従来の油泥の処理では、燃焼装置を用いた乾燥処理や焼却処理において、燃焼に伴って大量の二酸化炭素が排出されており、地球温暖化といった社会問題ともなっていた。
【０００７】
さらに、上記従来の油泥の処理では、最終的に焼却灰が排出され、その焼却灰を処分する必要があり、油泥の有効利用とはなっていなかった。
【０００８】
そこで、本発明者は、廃棄された油の処理について鋭意研究を重ね、廃棄された油を資源として有効利用することで処理に要する費用を低減するとともに、二酸化炭素の排出量を低減させることができる方法を見出し、本発明を成すに至った。
【課題を解決するための手段】
【０００９】
そこで、請求項１に係る本発明では、油脂に生石灰を添加して金属石鹸化した固形物を成形したことを特徴とする固体燃料を提供するものである。
【００１０】
また、請求項２に係る本発明では、前記請求項１に係る本考案において、前記固形物に精油を含浸させたことを特徴とする固体燃料を提供するものである。
【００１１】
また、請求項３に係る本発明では、油脂に生石灰を添加して金属石鹸化した固形物を成形して固体燃料を製造することを特徴とする固体燃料の製造方法を提供するものである。
【００１２】
また、請求項４に係る本発明では、前記請求項３に係る本考案において、前記固形物に精油を含浸させたことを特徴とする固体燃料の製造方法を提供するものである。
【発明の効果】
【００１３】
そして、本発明では、以下に記載する効果を奏する。
【００１４】
すなわち、本発明では、油脂に生石灰を添加して金属石鹸化した固形物を成形して固体燃料を製造することにしているために、廃棄された油を資源（固体燃料の原料）として有効に利用することで廃棄された油の処理に要する費用を低減することができ、しかも、廃棄された油の処理によって発生する二酸化炭素の排出量を低減させることができる。
【００１５】
また、固形物に精油を含浸させることにした場合には、油脂と精油の両方とも有効に利用することができ、固体燃料のカロリーを増大させることができる。
【発明を実施するための形態】
【００１６】
以下に、本発明に係る固体燃料及びその製造方法の具体的な構成について説明する。
本発明では、廃棄された油を、脂肪酸を含有する油脂と脂肪酸を含有していない油脂とにわけて処理するものであり、油脂に酸化カルシウム（生石灰）を添加して混合することによって製造している。
【００１７】
添加する酸化カルシウムの量は、適宜設定することができるものであるが、たとえば、油脂に対して重量比で２％としている。
【００１８】
油脂に酸化カルシウムを添加して混合すると、油脂に含まれる脂肪酸と酸化カルシウムとが反応し、脂肪酸のカルボキシル基に含まれる水素が酸化カルシウムに含まれるカルシウムで置換されて、金属石鹸が生成されて固形物となって沈澱する。
２Ｒ−ＣＯＯＨ  ＋  CaＯ  →  Ca（ＯＣＯＲ）2↓  ＋  Ｈ2Ｏ
【００１９】
この沈澱した固形物を取り出して任意の形状に成形することで固体燃料を製造する。その際に、固形物に精油を含浸させてもよい。
【００２０】
このように本発明に係る固体燃料では、油脂に生石灰を添加し、油脂に含まれる脂肪酸とが生石灰を金属石鹸化するまで反応させ、その後、金属石鹸化した固形物を成形して固形状の燃料としている。
【００２１】
そのため、本発明では、廃棄された油脂を資源（固体燃料の原料）として有効に利用することで廃棄された油脂の処理に要する費用を低減することができる。
【００２２】
しかも、本発明では、燃焼装置を用いる必要がなく、油脂の処理によって発生する二酸化炭素の排出量を低減させることができる。
【００２３】
特に、固形物に精油を含浸させた場合には、油脂と精油の両方とも有効に利用することができ、固体燃料のカロリーを増大させることができる。
(57)【要約】【課題】視界不良の道路上において、ミラーに写る道路情報がどの方向を写し出しているのかを目視で確実に把握する。【解決手段】ミラーポールのミラー部に、そのミラーがどの方向の道路情報を写し出しているのかを示す、「矢印」状の「補助板」を取り付けることで、写し出している道路情報の方向の確認を目視で可能とする。【選択図】図１
2012102532.tif 000002
【特許請求の範囲】
【請求項１】
方向を示す補助板を付けることで、道路上を移動する際の安全性を高めることを特徴とするミラーポール。
【発明の詳細な説明】
【技術分野】
【０００１】
本発明は、道路使用を容易にするためのミラーに関するものである。
【背景技術】
【０００２】
道路上の曲がり角等、視界の悪い場所には、視界確認を補佐できる利点があるので、ミラーを有する柱またはポール（以下、ミラーポール）が設置されている。
現在のミラーポールは、ミラーを見た人間が、本人の視界外の情報を、ミラーを通して判断するのみで実用上は十分であった。
【０００３】
ミラーを見た人は、そのミラーがどこを写しているのか？何が写っているのか？を判断する必要があり、心理的・精神的に余裕のある状態を十分に確保する必要がある。ミラーには実際の状態とは逆の状態が目に写るので一瞬ではわかりづらいという欠点がある。
【０００４】
一般的にこの欠点は道路上の移動に関して大きな障害である。具体的には、道路上を移動する場合には様々なリスクがあり、咄嗟の場合にはミラーポールを通して写っている場所が、自分から見て「右」なのか「左」なのかの判断を誤るという問題があった。
【０００５】
この改善策として、ミラーポールにどこの場所を写しているのかを示してくれる「補助板」を付けるという方法がある。
【発明の概要】
【発明が解決しようとする課題】
【０００６】
解決しようとする問題点は、道路上のミラーがどこを写しているのか目視確認できない点である。
【課題を解決するための手段】
【０００７】
本発明は、道路上のミラーがどこの方向を写しているのかを容易に確認できることを最も主要な特徴とする。
【発明の効果】
【０００８】
本発明のミラー補助板は、補助板部だけを部品として製作すれば、既存のミラーポールにも取り付けができるという利点がある。
【図面の簡単な説明】
【０００９】
【図１】図１はミラーポールの補助板の設置部を説明するための図である。
【図２】図２はミラーポールの実施方法を示した説明図である。（実施例１）
【図３】図３はミラーポールの実施方法を示した説明図である。（実施例２）
【発明を実施するための形態】
【００１０】
ミラーのサイド部に補助板を付けることで、ミラーに写りこんでいるものの方向を容易に確認できることを実現した。
【実施例１】
【００１１】
図２は、本発明の実施例を上から見た図である。
【００１２】
一方通行のＴ字路に進入してきた場合、ミラーに補助板を付けていることで、ミラーに写っている方向を容易に認識できる。
【実施例２】
【００１３】
図３は、本発明の実施例を上から見た図である。
【００１４】
一方通行の交差点に進入してきた場合、ミラーに補助板を付けていることで、ミラーに写っている方向を容易に認識できる。
【図１】
2012102532.tif 000003
【図２】
2012102532.tif 000004
【図３】
2012102532.tif 000005
(57)【要約】【課題】  地球温暖化が取りざたされている今日、クリ−ンなエネルギ−の開発で、電気を変換する技術には、太陽光発電、太陽熱発電、水車発電、水路発電、風力発電、潮汐発電、波力発電、海洋温度差発電、地熱発電などがある。しかし、いずれも莫大な資金と動力の卦かった割に発電の効率がわるい。【解決手段】本発明は、河川の流水を有効に活用し、クリ−ンなエネルギ−発電機を設置し  ＣＯ2の排出が減少されて環境にも優しい発電法である。【選択図】図１
2012102680.tif 000002
【特許請求の範囲】
【請求項１】
本発明は、川の流水を外容器内に取り入れ、羽根付円筒フロ−トを回転させて発電することを特徴とする遠水力発電。
【請求項２】
羽根付円筒フロ−ト室内にはウエイトが入ったフロ−トを用いることで遠心力の働きが大きくなり発電効率を高めるフロ−トを使用する遠心力発電。
【発明の詳細な説明】
【技術分野】
【０００１】
本発明は、川の流れを円筒の容器に引き込みその流れを遠心力に変えて、容器内の水車
（タービン）で発電機を回転させて発電するための装置である。
【背景技術】
【０００２】
従来、水力発電といえば、巨大なダムを作って川をせきとめいて、その落差を利用して
発電するために膨大な資金、労力、自然破壊を伴うもので、大きな犠牲のうえでの発電
であるといわざるをえない。また、遠心力を用いた浮場及び発電装置（特許文献１）がしられてある。
【発明の概要】
【発明が解決しようとする課題】
【０００３】
自然破壊をせずに、国内外、全世界の河川を有効に利用した無公害エネルギ−としたもの
である。
【課題を解決するための手段】
【０００４】
本発明は流水を遠心力に変換させて水車（タ−ビン）を回転させその動力を発電機に伝達
させて発電するものである。
【発明の効果】
【０００５】
世界中どこにでもある川、日本の川は特に、一年中水を流している。水の流れのエネルギ
―は無限で莫大な数量であるがその利用は飲料水、工業用水、又農業用水として利用された後は、海に流されている。この膨大な流水のエネルギ−を利用すると言うことは、風力を利用するのと同様に、地球環境問題やエネルギ−問題と、どれをとっても非常に有効なものである。
【発明を実施するための形態】
【０００６】
船は動力で水車（スクリュ―）を回転させてその推力を使って進むが。これは逆に円筒の容器に流水を取り入れ水車（タ−ビン）を回転させ、発電機を作動させて発電を生み出そうとするものである。
【先行技術文献】
【特許文献】
【０００７】
【特許文献１】特開平１０−１２２１２７
【図面の簡単な説明】
【０００８】
【図１】本発明の断面図
【図２】本発明の A―Ａ断面図
【符号の説明】
【０００９】
１・・・発電機
２・・・容器
３・・・ドラム
４・・・羽根
５・・・流水取り入れ口
６・・・ボルト
７・・・シャフト
８・・・カップリング
９・・・シャフトガイド
１０・・・軸受
１１・・・水抜き口
１２・・・ウエイト
【図１】
2012102680.tif 000003
【図２】
2012102680.tif 000004
(57)【要約】【課題】  ライトを使うとき、使いやすいように、帽子のつばの一端に筒を設けたライトつき帽子を提供する。【解決手段】  帽子のつば（１）の一端に筒（２）を設け、筒の真中部分に伸縮できる合成ゴム（３）を設けた。ライト（４）を円筒に差し込む、ライトつき帽子を特徴とする。【選択図】図１
2012102449.tif 000002
【特許請求の範囲】
【請求項１】
帽子のつば（１）の一端に筒（２）を設け、筒の真中部分に伸縮ゴム（３）を設け、円筒に小型ランプ（４）を差し込む、ライトつき帽子。
【発明の詳細な説明】
【技術分野】
【０００１】  この発明は、帽子のつばの一端に小型ライトを設けた、ライトつき帽子に関するものである。
【背景技術】
【０００２】  従来、帽子とライトは別々になっていた。
【先行技術文献】
【０００３】
【特許文献１】
【発明の概要】
【発明が解決しようとする課題】
【０００４】  これは、次のような欠点があった。
従来、帽子とライトは別々で、日常、ライトを持ち歩く事は少なく、夕方、夜にかけて、見にくく、困ったことが多かった。
本発明は、以上のような点を、なくすために、なされたものである。
【課題を解決するための手段】
【０００５】  帽子のつば（１）の一端に、筒（２）を設け、筒の真中部分に伸縮ゴム（３）を設けて、ライト（４）を円筒に差し込む。
本発明は、以上の構成より、なるライトつき帽子である。
【発明の効果】
【０００６】  ライトが帽子のつばさと、一体になっているので、ライトが必要になったときでも、探す手間が省ける。
小型ライトでも、帽子を柄とするため、使うのに、なんらさしつかえない。
【図面の簡単な説明】
【０００７】
【図１】本発明の斜視図である。
【図２】本発明の断面図である。
【発明を実施するための形態】
【０００８】以下、本発明を実施するための形態について説明する。
帽子のつば（１）の上部の一端に、樹脂製の円筒（２）を設ける。
円筒（２）に、円柱状の小型ライト（４）を差し込む。円筒（２）をかしめ円筒の真中に伸縮ゴム（３）を設けて、ライトを固定する。
本発明は、以上のような構造である。
これを、使用するときは、帽子のつばと一体となった、このライトで帽子の柄をもって、防犯．防炎のライトになればよい。
【符号の説明】
【０００９】１  帽子のつば
２  筒
３  伸縮ゴム
４  小型ライト
【図１】
2012102449.tif 000003
【図２】
2012102449.tif 000004
(57)【要約】【課題】同じ色、同じサイズの靴下が複数あると靴下を使用した（履いて脱ぐ）後、また前記複数の靴下を洗濯すると洗濯機内で攪拌し対（ペア）が判らなくなっていた。【解決手段】靴下を着用するに際し、外部から目視し難い前期靴下の面に布体を介してスナップを設けた事を特徴とする色布とスナップを設けた靴下。【選択図】図１
2012102447.tif 000002
【特許請求の範囲】
【請求項１】
靴下を着用するに際し、外部から目視し難い前記靴下の面に布体を介してスナップを設けた事を特徴とする色布とスナップを設けた靴下
【発明の詳細な説明】
【技術分野】
【０００１】この発明は靴下の履く側の外側に色布とスナップを設けた靴下に関するものである。
【背景技術】
【０００２】従来、複数の靴下を洗濯する場合洗濯機内で攪拌しバラバラになるため対（ペア）が判らなくなっていた。
【発明の開示】
【発明が解決しようとする課題】
【０００３】同じ色、同じサイズの靴下が複数あると靴下を使用し脱いだ後、また前記複数の靴下を洗濯すると洗濯機内で攪拌された後、対（ペア）が判らなくなっていた。従って、本発明が解決しようとする課題は、洗濯機内で攪拌されてもバラバラになることのない靴下を提供することである。
【課題を解決するための手段】
【０００４】本発明によれば、靴下を着用するに際し、外部から目視し難い前記靴下の面に布体を介してスナップを設けた事である。
【発明の効果】
【０００５】スナップで留めることにより靴下を脱いだ後対（ペア）が判らなくなることが回避される、また洗濯機内での攪拌によっても判らなくなることがなくなる。なお、スナップを留め忘れても色布で識別可能である。
【図面の簡単な説明】
【０００６】
【図１】本発明の色布とスナップを設けた靴下の斜視図である。
【発明を実施するための形態】
以下本発明を実施するための形態を図面に基づいて説明する。
【０００７】靴下（１）の履く側の内側と外側の端を色布（２）で挟みこみ、スナップ（３）を靴下外側の色布にのせ裁縫糸などで固定する図１。
【０００８】従って本発明の色布とスナップを設けた靴下を洗濯機に入れて洗濯するには、対となる靴下のスナップ（３）（３）を留め合わせた後洗濯機内に投入し洗濯をする。この時、スナップ（３）（３）はしっかり留め合わされているので攪拌されても外れてバラバラになることはない。
【符号の説明】
【０００９】１  靴下
２  色布
３  スナップ
【図１】
2012102447.tif 000003
(57)【要約】  【課題】ジーンズ本体のファスナーを股下最下部又は中間部まで開閉することを特徴とする男性用ジーンズを提供する。【解決手段】男性用ジーンズ本体の前部開閉部を股下最下部まで開口できるファスナーを取り付けたことを特徴とする男性用ジーンズ。【選択図】図１
2012102423.tif 000002
【特許請求の範囲】
【請求項１】
男性用ジーンズ本体の前部開閉部を股下最下部まで開口できるファスナーを取り付けたことを特徴とする男性用ジーンズ。
【請求項２】
前部開閉部の上端部と股下最下部の間の中間部に、前部開閉部の開き度を検知するための検知具を取り付けたことを特徴とする男性用ジーンズ。
【発明の詳細な説明】
【技術分野】
【０００１】
本発明は男性用ジーンズ本体の前部開閉部ファスナー開閉つまみを股下最下部まで開口することにより男性用小便が楽にできる、男性用ジーンズに関するものである。
【背景技術】
【０００２】
従来の男性用ジーンズは前部開閉部が浅く、ファスナーを股下最下部まで下げて同開閉部を大きく開けることが出来ないので、小便が楽に出来ないという問題があった。時にはドットボタンをボタン固定部より外しジーンズの前を少し下げ小便をしなければならず面倒である。本発明は前記男性用ジーンズを前記股下最下部まで開口出来る、前記ファスナーを取り付け、楽に小便ができる、それから前記男性用ジーンズ本体を穿いたり脱いたり問題なくできるよう前記ファスナー中間部に止め突起部を設け固定出来るようにした男性用ジーンズである。
【発明の概要】
【発明が解決しようとする課題】
【０００３】
本発明は上記問題点を解消することを課題とする。
【課題を解決するための手段】
【０００４】
本発明が提供する男性用ジーンズは、次の（１）及び（２）に記載するものである。
（１）男性用ジーンズ本体の前部開閉部を股下最下部まで開口できるファスナーを取り付けたことを特徴とする男性用ジーンズ。
（２）上記（１）における前部開閉部２の上端部５と股下最下部３の間の中間部６に、前記前部開閉部２の開き度を検知するための検知具を取り付けた男性用ジーンズ。
【発明の効果】
【０００５】
前記ファスナーを前記上端部５から前記股下最下部３まで開口でるようにした事により男性用小便がし易くなった。
【０００６】
前記中間部、前部開閉部の開き度を検知することにより従来の男性用ジーンズと同じように、穿いたり脱いたりする時の開き度が判りジーンズがずり落ちないようにすることが出来る。
【図面の簡単な説明】
【０００７】
【図１】本発明の男性用ジーンズの正面図
【図２】本発明の男性用ジーンズの側面図
【発明を実施するための形態】
【０００８】
実施例を図１及び図２によって説明する。
ファスナー４を上端部５から股下最下部３まで開口でるようにした事により男性用小便がし易くなった。
【０００９】
また、前記男性用ジーンズ本体１に前記ファスナー４の中間部６に止め突起部まで開口し、指で検知固定する。バンドを付ける時、又はシャツの裾を入れるときなど、ジーンズがずり落ちないよう着用することができる男性用ジーンズ。
【符号の説明】
【００１０】
１男性用ジ−ンズ本体
２前部開閉部
３股下最下部
４ファスナー
５上端部
６中間部
【図１】
2012102423.tif 000003
【図２】
2012102423.tif 000004
(57)【要約】      （修正有）【課題】従来のビルはガス管が配管されていた、これにーつの階が火災になるとその熱で他の階のガスに引火し爆発してしまう、そして、ビルがくずれてしまう。そこでオイル、ガスを使わないガス爆発の無い建物を提供する。【解決手段】建物の屋上、側面全体に太陽光発電パネルを備えた建物とする。このことによって、高層ビル火災におけるガス爆発の無い建物が可能となる。ガスを使わず、電気２、水道３、太陽光発電パネルにすればビルが瓦礫の山になるのを防げる。【選択図】図１
2012102463.tif 000002
【特許請求の範囲】
【請求項１】
建物の屋上、側面全体に太陽光発電パネルを備えたことを特徴とする、
高層ビル火災におけるガス爆発の無い建物。
【発明の詳細な説明】
【技術分野】
【０００１】
本発明は、テロとか火災によるガス爆発で瓦礫の山を防ぐ装置に関する物である、                                              
【背景技術】
【０００２】
従来はガスを各階に配管していたけれどもアメリカの飛行機テロのときビルが粉みじんに、崩れてしまつた。そのためのガスを使わない建物。
【先行技術文献】
【特許文献】
【０００３】
【特許文献１】特開２００３−９６９９９号公報
【発明の概要】
【発明が解決しようとする課題】
【０００４】
電気と水道と太陽光発電じゆうらいの建物はガス配管、オイル配管しようしているので爆発事故の元などで、オイル、ガスを使わないことである。
【課題を解決するための手段】
【０００５】
上記を解決するために本発明はビルのガス爆発を防ぐために、建物の屋上面、側面の全面に太陽光発電パネル５を備えたことを特徴とする高層ビル火災におけるガス爆発の無い建物。
【発明の効果】
【０００６】
ビル建築が崩れ、がれきの山になるのを防ぐ効果がある。
【図面の簡単な説明】
【０００７】
【図１】図１は高層ビルにガス、石油を使わないこと、引火爆発を防ぐための説明図である。
【発明を実施するための形態】
【０００８】
予期できないテロや火災爆発を最小減に防ぐ働きがある。
【０００９】
ガス爆発やオイル火災させないためにガス、オイルを使わないビル高層建築物である
【産業上の利用可能性】
【００１０】
テロやガス爆発火災にならずにビルが瓦礫の山にならなくて崩れないビルとして安全              で火災を最小限に食い止める事ができる。
【符号の説明】
【００１１】
１  高架水槽
２  電気配線
３  水道配管
４  受水槽                  
５  太陽光発電パネル
【図１】
2012102463.tif 000003